(57)【要約】      （修正有）【課題】矯正の治療に対して、ノギス等の各種の工具類を使用することなく、口腔内や顔面の各種の計測を１枚の計測定規を以って測定できる歯科用口腔の計測器具を提供する。【解決手段】歯科の矯正治療における歯列幅径、開口時の上下の前歯間の距離、顎偏位量及び顔面の計測等を１枚の計測定規に設けた直線縦目盛部、円弧目盛部と縦目盛部、掛止用の切欠部、横目盛部及び目盛を設けた掛止や突部等によって迅速に実施できるようにしたものである。【選択図】図１
0003150439.tif 000002
【実用新案登録請求の範囲】
【請求項１】
計測定規本体（１）には、縦方向の一方に直線縦目盛部（２）を刻設し、他方には、上部より円弧目盛部（４）と連接して縦目盛部（５）を刻設し、且つ該計測定規本体（１）には、上部先端に掛止用の切欠部（３）を形成すると共に、下部に横目盛部（７）を刻設し、該直線縦目盛部（２）の下端と該横目盛部（７）の端部との間に目盛を設けた掛止め突部（６）と段部（１０）を形成した事を特徴とする歯科用口腔の計測器具。
【請求項２】
請求項１における計測定規本体（１）には、正面の一方に方形状の開口部（８）を開設し、該開口部（８）に角度目盛（９）（９）を刻設した事を特徴とする請求項１の歯科用口腔の計測器具。
【考案の詳細な説明】
【技術分野】
【０００１】  本考案は、矯正の分野における歯列幅径、開口時の上下前歯間の距離、顎偏位量及び顔面の計測等に使用する歯科用口腔の計測器具に関するものである。
【背景技術】
【０００２】  従来のこの種の歯科用の顔面口腔の計測に当っては、その目的に応じて数種のノギスが開発され実用化されているが、特に矯正の分野においては、一般工作用ノギスや文房具の定規を使用することが多く、臨床治療上の必要からより確実に迅速に計測できる器具が望まれる現状である。
【考案の概要】
【考案が解決しようとする課題】
【０００３】  従来使用されてきた矯正における歯列幅径、開口時の上下前歯間の距離、顎偏位量等の計測の際に用いる場合のノギス又は定規類は、その各々の状態に合わせた大きさや形状のものを使用するために、数種のものから各々選択あるいは重いノギスを代用して用いると云う面倒で不便な問題点が多々生じている現状である。
本考案は、上記の従来の不便である問題点を解決するものであり、その主たる目的とする所は、１枚の計測定規において、歯列の内側幅径、歯列の外側幅径、歯の開口量及び下顎の側方滑走等の各々の目盛によって容易に測定する事が出来る歯科用口腔の計測器具を提供するものである。
【課題を解決するための手段】
【０００４】  上記目的を達成するために、本考案における計測定規によれば、計測定規本体には、縦方向の一方に直線縦目盛部を、他方に円弧目盛部と連接して縦目盛部を刻設すると共に、先端の上部には、掛止用に使用する切欠部を形成してある。
また、該計測定規本体の下部には、横目盛部と連接して段部を形成してある。更に下部の側方に掛止め突部を形成してある。
更に、計測定規本体の平面状の一部に鼻稜線の茎部を縦目盛部に当て開口部の０点に合わせて、その延長線に相当する角度目盛を刻設表示してある。
【考案の効果】
【０００５】  本考案の計測定規本体は、歯科医療における矯正治療において、従来のものの如く、多数のノギス又は一般用定規を適宜選択して使用する必要が無く、１個の計測定規によって計測が迅速に実施できる便利な効果がある。
そして、計測定規本体に設けた横目盛部によって、歯列の内側幅径に挿入するだけで、横目盛部と掛止め突部に設けた目盛を読む事によって寸法が容易に測れる効果と、掛止め突部と直線縦目盛部とによっては、歯列の外側幅径の最外側部に当接する目盛を読む事によって寸法が確実容易に測れる効果がある。
更に、口腔の開口量の測定には、計測定規本体の先端に設けた切欠部を下顎の先端に当て、円弧目盛部を上顎切歯先端に当てる事によって、距離の測定が容易に出来る効果がある。また、該計測定規本体の直線縦目盛部によっては、歯の咬合面に当てることで咬合平面が簡易に確認できる効果等がある。
【図面の簡単な説明】
【０００６】
【図１】  本考案を縦方向に立てた傾斜した正面図である。
【図２】  同じく本考案の図１Ａ−Ａ線の縦断側面図である。
【図３】  本考案の全体の斜面図である。
【図４】  本考案の図１のＢ−Ｂ線の横断面図である。
【考案を実施するための形態】
【０００７】  本考案は、上記の如く構成されているので、口腔内の歯列の内寸法を測定するには、横目盛を以って、歯列内側に当てて目盛と掛止め突部の目盛との寸法の両方の目盛を読むものである。
また、歯列外側の寸法を測定するには、掛止め突部を歯列の外側に当てて直線縦目盛部で、歯列の外側の相当する目盛を読む事によって寸法を測るものである。
更に、口腔の開口部を測定するには、先端に設けた切欠部を下歯の前歯先端に当て、上歯との開口度又は無痛開口度を円弧目盛部によって距離を測定する。また、歯列咬合面に縦目盛部の平面を当てることで、咬合平面の確認を可能としたものである。その他、各種の計測に応用が可能となる。
【実施例】
【０００８】  実施例について図面を参照して説明すると、図１において、計測定規本体（１）を立設した状態を示し、該計測定規本体（１）には、一方の縦方向に直線縦目盛部（２）の目盛を刻設し、他方の縦方向には、上方の曲面に円弧目盛部（４）を設けると共に、該円弧目盛部（４）と連接して下部に目盛を設けた縦目盛部（５）を刻設してある。
また、該計測定規本体（１）の先端には、掛止用の切欠部（３）を設け、該円弧目盛部（４）が上顎に向うように下顎前歯の先端に当て、口腔の開口又は無痛開口時の距離を測定するため、該切欠部（３）を形成してある。
更に、該計測定規本体（１）の下部には、所定間隔を設けて横目盛部（７）を刻設する。該横目盛部（７）には、段部（１０）を設けて横方向に目盛を設けた掛止め突部（６）を一体に形成してある。
そして、該横目盛部（７）は、歯列内部に挿入して内側の幅径を横目盛部（７）と掛止め突部（６）の目盛によって読み取り、寸法を測るものである。
また、該掛止め突部（６）は、歯列の外側幅径を測るもので、該掛止め突部（６）を歯形の外側に当て、該直線縦目盛部（２）の目盛を読んだり測るものである。【０００９】  更に、該計測定規本体（１）には、表面の一方に方形状の開口部（８）を設け、該開口部（８）には外周の一部に放射状の角度目盛（９）（９）を刻設してある。この角度目盛（９）（９）は、顎偏位量の測定に使用するもので、右側の下眼瞼部と頬豊隆部との仮想線と鼻稜線とのなす角は、仮想線に平行に横目盛部（７）と縦目盛部（５）との交点を当て、鼻稜線の基部を開口部（８）の角の０点（１１）に合わせてその延長線に相当する角度目盛（９）を読むことにより角度を測定するものである。【００１０】  また、下顎の側方への滑走運動量の測定は、上顎歯牙表面と下顎歯牙表面とを合わせ、該計測定規本体（１）の直線縦目盛部（２）を合わせる。その後、下顎を左右に滑走させ、その移動量を目盛から読み取るものである。
更に、上下の歯列咬合面に計測定規本体（１）の平面を当てることで、咬合平面の簡易な確認を可能とするものである。その他、矯正治療の各種計測が出来るものである。
【産業上の利用可能性】
【００１１】  従来この種の顔面及び口腔内の矯正治療には、各種の重いノギス及び工具を各々別個に用意したものを使用したので、多数の工具類を集める必要があった。そこで、本考案は、口腔で使用する各種の計測を１枚の軽量な計測定規を以って測定できるようにしたもので、大変に便利で実用性が充分に達成できるものと思われる。
【符号の説明】
【００１２】  １        計測定規本体
２        直線縦目盛部
３        切欠部
４        円弧目盛部
５        縦目盛部
６        掛止め突部
７        横目盛部
８        開口部
９        角度目盛
１０        段部
１１        ０点
【図１】
0003150439.tif 000003
【図２】
0003150439.tif 000004
【図３】
0003150439.tif 000005
【図４】
0003150439.tif 000006